(57)【要約】【課題】既存のエアコンにも容易に取り付けることができ、既存のエアコンにおいて室外機の熱交換器の冷却能力を簡単に向上させることができるエアコン室外機の冷却用器具を提供する。【解決手段】エアコンの室外機の外側に取り付けられる本体部４０と、該本体部４０の上部に設けられ、エアコンの室内機からのドレイン管が接続されて該ドレイン管からの排水を前記本体部４０内に流入させるドレイン管接続部５０と、前記本体部４０の下部から延出され、本体部４０内に流入された排水を室外機の熱交換器へと導いて滴下させる導水部６０とを備える。【選択図】        図２
2004197987.tif 000002
【特許請求の範囲】
【請求項１】
エアコンの室外機の外側に取り付けられる本体部と、該本体部の上部に設けられ、エアコンの室内機からのドレイン管が接続されて該ドレイン管からの排水を前記本体部内に流入させるドレイン管接続部と、前記本体部の下部から延出され、本体部内に流入された排水を室外機の熱交換器へと導いて滴下させる導水部とを備えることを特徴とするエアコン室外機の冷却用器具。
【請求項２】
前記導水部は、ブラシ状に形成されていることを特徴とする請求項１に記載のエアコン室外機の冷却用器具。
【請求項３】
前記ドレイン管接続部は、前記本体部とは別体のエルボにより構成されると共に、本体部に回動自在に装着されていることを特徴とする請求項１または請求項２に記載のエアコン室外機の冷却用器具。
【請求項４】
前記本体部は、前記室外機に着脱可能に装着された取付具を介して前記室外機に取り付けられることを特徴とする請求項１から請求項３までのいずれか一つに記載のエアコン室外機の冷却用器具。
【発明の詳細な説明】
【０００１】
【発明の属する技術分野】
本発明は、エアコン室外機の冷却用器具に関し、詳しくは、室内機のドレイン管からの排水を室外機の熱交換器に滴下して熱交換器の冷却能力を向上させる冷却用器具に関する。
【０００２】
【従来の技術】
冷房用のエアコン（エアーコンディショナー）では、室外機のコンプレッサーにより冷媒を圧縮して高圧高温のガスとし、室外機の熱交換器により高圧高温のガスを冷やして液化する。そして、液化された冷媒を室内機へと送り、膨張弁にて冷媒を膨張させて低圧低温のガスとし、この低温化された冷媒を用いて室内機の熱交換器で室内の空気を冷やす。ここで、現在普及している一般的なエアコンでは、室外機の熱交換器として、ファンの送風により冷媒を冷やす空冷式のものが用いられており、冷却能力が低いものである。
【０００３】
一方、一般的なエアコンでは、室内機の熱交換器にて結露が生じ、水が生成されるため、室内機で生じた水をドレイン管によって室外へと排水している。そこで、ドレイン管からの排水を室外機の熱交換器に滴下し、これにより、熱交換器の冷却能力を向上させることが提案されている。
【０００４】
【特許文献１】
特開平５−１０５５１号公報
【０００５】
【発明が解決しようとする課題】
しかしながら、上記の提案のものは、エアコン内部の構造によって、ドレイン管からの排水を室外機の熱交換器に滴下するものであるため、既存のエアコンに対しては容易に適用することができないものであった。
【０００６】
本発明は、上記実状を鑑みてなされたものであり、既存のエアコンにも容易に取り付けることができ、既存のエアコンにおいて室外機の熱交換器の冷却能力を簡単に向上させることができるエアコン室外機の冷却用器具の提供を課題とする。
【０００７】
【課題を解決するための手段】
請求項１の発明に係るエアコン室外機の冷却用器具は、エアコンの室外機の外側に取り付けられる本体部と、該本体部の上部に設けられ、エアコンの室内機からのドレイン管が接続されて該ドレイン管からの排水を前記本体部内に流入させるドレイン管接続部と、前記本体部の下部から延出され、本体部内に流入された排水を室外機の熱交換器へと導いて滴下させる導水部とを備えることを特徴とするものである。
【０００８】
本発明では、本体部が室外機の外側に取り付けられるため、既存のエアコンにも容易に適用することが可能となる。また、本体部を室外機の外側に取り付けても、ドレイン管接続部を介して本体部に流入した室内機からの排水は、導水部によって室外機の熱交換器に導かれるため、良好に熱交換器に滴下され、熱交換器の冷却能力を確実に向上させることが可能となる。
【０００９】
なお、本体部を室外機の外側に取り付ける手段としては、特に限定するものではなく、室外機のカバー等の適宜部材に、直接、ネジ止めしたり、接着剤や粘着テープを介して接着したり、カバーが鉄製のものであれば、磁石により貼着する等して取り付ければよい。また、後述するように、室外機に装着される取付具を介して間接的に取り付けることとしてもよい。
【００１０】
請求項２の発明に係るエアコン室外機の冷却用器具は、請求項１の発明に係るエアコン室外機の冷却用器具において、前記導水部は、ブラシ状に形成されていることを特徴とするものである。
【００１１】
導水部を、管状や線状に形成して本体部から延出させ、先端部分を熱交換器に接触させて、本体部からの排水を熱交換器へと導くようにしてもよい。しかしながら、導水部を剛性の高い管状や線状に形成すると、導水部の先端部分を熱交換器に的確に接触させることが困難となる。また、熱交換器は、一般的に、冷媒が流通される冷媒パイプの周りにアルミ製のフィンを備えてなるものであり、導水部の先端部分を熱交換器に強く押し当てると、上記フィンを破損させてしまう虞もある。
【００１２】
そこで、本発明では、導水部をブラシ状に形成する。これにより、導水部は、適度な可撓性を有するものとなり、フィンを破損させることなく、導水部の先端部分を熱交換器に的確に接触させることが可能となる。また、ブラシ状に形成された導水部では、毛細管現象により、ブラシを構成する多数の毛の間に水が蓄えられつつ流れるため、本体部から熱交換器へと排水を良好に流下させることも可能となる。さらに、導水部の先端部分を熱交換器内部に押し込んで、導水部の先端部分を冷媒パイプに直に接触させることも可能となる。ここで、導水部の先端部分を熱交換器内部の冷媒パイプに直に接触させれば、排水を冷媒パイプに直に滴下させることができ、これにより、熱交換器の冷却能力を、より一層、向上させることができる。
【００１３】
なお、ブラシを構成する毛を、塩化ビニル、ポリエチレン等の各種樹脂や豚毛等の獣毛によって形成してもよいが、ポリアミド、ポリエステル等の耐熱性に優れた樹脂により形成すると、熱交換器の熱によって導水部が損傷することがないため、好適である。
【００１４】
請求項３の発明に係るエアコン室外機の冷却用器具は、請求項１または請求項２の発明に係るエアコン室外機の冷却用器具において、前記ドレイン管接続部は、前記本体部とは別体のエルボにより構成されると共に、本体部に回動自在に装着されていることを特徴とするものである。
【００１５】
本発明では、ドレイン管接続部が回動自在なエルボにより構成されているため、室内機からのドレイン管を接続し易くなる。
【００１６】
請求項４の発明に係るエアコン室外機の冷却用器具は、請求項１から請求項３までのいずれか一つの発明に係るエアコン室外機の冷却用器具において、前記本体部は、前記室外機に着脱可能に装着された取付具を介して前記室外機に取り付けられることを特徴とするものである。
【００１７】
本発明では、本体部が取付具を介して室外機に取り付けられるため、本体部の室外機への容易且つ確実な取り付けが可能となる。
【００１８】
【発明の実施の形態】
本発明に係るエアコン室外機の冷却用器具の実施形態としての一例を、以下に、図面に基づいて詳細に説明する。
【００１９】
図１に示すように、エアコン１０は、室内機１１と室外機１３とを備えており、室内機１１と室外機１３との間には、室外機１３から室内機１１へと高圧の冷媒を送るための往路管１６、及び、室内機１１から室外機１３へと低圧の冷媒を戻すための復路管１７が接続されている。ここで、室内機１１は、往路管１６から送られた冷媒を膨張させる公知の膨張弁（図示省略）と、熱交換器１２とを備えるものであり、往路管１６から送られた高圧の冷媒を膨張弁により膨張させて低温化し、低温化された冷媒を用いて熱交換器１２により室内の空気を冷却するものである。また、室内機１１には、熱交換器１４の結露により生じた水を排出するドレイン管１８が接続されている。
【００２０】
一方、室外機１３は、復路管１６と往路管１７との間に接続されたコンプレッサ１５と、熱交換器１４とを備えるものであり、復路管１７から戻された低圧の冷媒をコンプレッサ１５により圧縮して高圧化し、この高圧化に伴なって高温となった冷媒を熱交換器１４によって冷却して室内機１１へと送り出すものである。ここで、室外機１３の熱交換器１４では、ファン１３ｆ（図２参照）からの送風により高温の冷媒を冷却する空冷式のものが採用されている。また、室外機１３の外側には、室内機１１からのドレイン管１８が接続された冷却用器具３０が取り付けられており、ドレイン管１８からの排水を、冷却用器具３０を用いて熱交換器１４に滴下させることにより、空冷式の熱交換器１４の冷却能力を向上させている。
【００２１】
次に、冷却用器具３０の詳細について説明する。図２に示すように、冷却器具３０は、室外機１３の外側に取り付けられる本体部４０と、この本体部４０の上部に設けられ、室内機１１からのドレイン管１８が接続されてドレイン管１８からの排水を本体部４０内に流入させるドレイン管接続部５０と、本体部４０の下部から延出され、本体部４０内に流入された排水を室外機１３の熱交換器１４へと導いて滴下させる導水部６０とを備えるものである。
【００２２】
本体部４０は、室外機１３に着脱自在に装着される取付具８０を介して、室外機１３の外側に取り付けられるように構成されている。また、本体部４０は、取付具８０に止めネジ４４を介して取着される略板状の基台部材４１と、この基台部材４１に止めネジ４３を介して一体化される略箱状の主体部材４２とから構成されている。ここで、基台部材４１には、止めネジ４４を挿通する長孔状のネジ孔４３が設けられている。これにより、取付具８０に対して本体部４０を、上下方向に高さ調節可能に取着することができる。
【００２３】
ドレイン管接続部５０は、本体部４０とは別体のエルボにより構成されており、本体部４０に回動自在に装着されている。具体的には、本体部４０を構成する基台部材４１の上部に設けられた装着部４１ａと主体部材４２の上部に設けられた装着部４２ａとにより略円形の装着孔が形成され、この装着孔にドレイン管接続部５０の下部を挿入することで、回動自在に装着されている。また、ドレイン管接続部５０は、その上部にドレイン管１８の先端部分を挿入してドレイン管１８を接続するものであり、本例では、ドレイン管接続部５０を構成するエルボとして、４５°エルボが採用されている。これにより、上方から垂れ下がるドレイン管１８の先端部分を、ドレイン管接続部５０に、円滑に挿入することができる。しかも、ドレイン管接続部５０は回動自在であるため、ドレイン管１８を無用に引き回すことなく、良好に接続することができる。
【００２４】
なお、本体部４０からのドレイン管接続部５０の抜けを防止する抜け防止構造を採用し、本体部４０にドレイン管接続部５０を堅固に装着できるようにしてもよい。例えば、図示は省略するが、ドレイン管接続部５０の外面に凸条または凹溝を周設すると共に、本体部４０の装着孔の内面に上記凸条または凹溝に係合する凹溝または凸条を周設して、ドレイン管接続部５０と本体部４０とが凹凸係合することで、本体部４０からのドレイン管接続部５０の抜けを防止するようにしてもよい。
【００２５】
導水部６０は、本体部４０の下部から背面側に延出して室外機１３の熱交換器１４に接触し、ドレイン管１８から排出されて本体部４０内に流入した排水を、熱交換器１４に滴下させるものであり、ブラシ状に形成されている。具体的に、導水部６０は、基体６１に、ポリアミド、ポリエステル等の耐熱性に優れた樹脂により形成された多数の毛６２を植設してなるものであり、主体部材４２に止めネジ６３により取着され、基台部材４１の下部の切り欠き４２を通じて、ブラシ状の毛６２の先端部分を本体部４０の背面下部からに延出するものである。
【００２６】
上記のように構成された冷却用器具３０では、図３に示すように、ドレイン管１８からの排水は、ドレイン管接続部５０を通じて本体部４０内に流下し、導水部６０を伝って室外機１３の熱交換器１４へと導かれ、熱交換器１４に滴下する。ここで、本例では、導水部６０の先端部分が、熱交換器１４を構成するフィン（図示省略）の隙間に押し込まれ、冷媒を流通する冷媒パイプ１４ｐに接触するようにしてあり、導水部６０を伝った排水が、直接、冷媒パイプ１４ｐに滴下して冷媒パイプ１４ｐを冷却し、これにより、熱交換器１４の冷却能力が確実に向上されるようにしてある。
【００２７】
ところで、本例では、冷却用器具３０の本体部４０が、室外機１３に着脱自在に装着された取付具８０を介して、室外機１３の外側に取り付けられるものであり、次に、取付具８０の詳細について説明する。
【００２８】
図４に、取付具８０の一例を示す。この取付具８０は、冷却用器具３０の本体部４０を取着するための取着部、具体的には、本体部４０を止めネジ４４により取着するための雌ネジ８１ａ、を有する略Ｌ字状の基板８１と、この基板８１とで室外機１３を挟持して基板８１を室外機１３に固定する背板８２とを備えるものである。ここで、基板８１と背板８２とは、基板８１のネジ孔８３ａに挿通され、背板８２の雌ネジに螺着される止めネジ８３によって一体化され、図５に示すように、室外機１３のカバー等の適宜部材を挟持して、室外機１３に着脱自在に装着される。なお、取付具８０と室外機１３との間には、ゴムや発泡樹脂等により形成されたクッション材９０を介在させてあり、取付具８０を装着しても、室外機１３に傷が付かないようにしてある。
【００２９】
また、図６に、取付具８０の別例を示す。この取付具８０は、冷却用器具３０の本体部４０を取着するための取着部、具体的には、本体部４０を止めネジ４４により取着するための雌ネジ８１ａ、を有する基板８１と、この基板８１に止めネジ８３により一体化される背板８２とを備えるものである。また、基板８１の裏面及び背板８２の裏面には、夫々、取付アーム８１ｂ，８２ｂが突設されている。そして、この取付アーム８１ｂ，８２ｂには、熱交換器１４内部の冷媒パイプ１４ｐに係合する係合凹部８１ｃ，８２ｃが設けられている。ここで、基板８１と背板８２とを一体化するための止めネジ８３を挿通する基板８１のネジ孔８３ａは、長孔状に形成されており、基板８１の取付アーム８１ｂと背板８２の取付アーム８２ｂとの間隔を調節可能としてある。
【００３０】
このような取付具８０では、図６に示すように、熱交換器１４のフィン（図示省略）の隙間から基板８１の取付アーム８１ｂと背板８２の取付アーム８２ｂとを差し込み、上下に並設された２本の冷媒パイプ１４ｐ間にて各取付アーム８１ｂ，８２ｂを拡開して、各係合凹部８１ｃ，８２ｃを冷媒パイプ１４ｐに係合させる。これにより、取付具８０は、熱交換器１４に、直接、着脱自在に装着される。
【００３１】
本発明に係る冷却用器具３０は、上述の取付具８０の他に、種々の形態の取付具８０を用いて、室外機１３に取り付けてもよい。また、取付具８０を用いず、室外機１３に、直接、取り付けてもよい。
【００３２】
さらに、本発明に係る冷却用器具３０を、図示は省略するが、以下のように応用して、室外機１３における熱交換器の冷却能力をさらに向上させることもできる。
【００３３】
室外機１３の下部に、冷却用器具３０から滴下された排水を回収して蓄えるタンクを設け、このタンク内に蓄えられた排水を、ポンプによって汲み上げて冷却用器具３０の本体部４０内に流入させ、再度、熱交換器１４に滴下させることとしてもよい。このようにすれば、熱交換器１４に滴下される排水の十分な量を確保することができ、熱交換器１４の冷却能力を確実に向上させることができる。
【００３４】
なお、このような態様では、タンクから冷却用器具３０への配管を、冷媒の復路管１７周りに巻回させるのが好適である。何故ならば、復路管１７の冷媒は低温であるため、タンクから冷水用器具３０に戻される排水を、復路管１７を通じて冷却することができ、冷却された排水を滴下することにより、熱交換器１４の冷却能力を、さらに向上させることができるからである。
【００３５】
また、熱交換器１４とタンクとの間に、排水を熱交換器１４からタンクへと導くタンク用の導水部を設け、熱交換器１４から流下する排水を円滑に回収できるようにするとよい。そして、この導水部として、先端部分が熱交換器１４の下部に接触するブラシ状のものを採用し、この導水部を伝って排水がタンクへと流下するように構成すると、排水の回収を良好に行うことができ、好適である。
【００３６】
【発明の効果】
以上詳細に説明した本発明によれば、以下の効果を得ることができる。
【００３７】
請求項１の発明によれば、本体部が室外機の外側に取り付けられるため、既存のエアコンにも容易に取り付けることができ、既存のエアコンにおいて室外機の熱交換器の冷却能力を簡単に向上させることができる。
【００３８】
請求項２の発明によれば、導水部がブラシ状に形成されているため、熱交換器のフィンを破損させることなく、導水部の先端部分を熱交換器に的確に接触させることができ、しかも、本体部から熱交換器へと排水を良好に流下させることもでき、熱交換器の冷却能力を確実に向上させることができる。
【００３９】
請求項３の発明によれば、ドレイン管接続部が回動自在なエルボにより構成されているため、室内機からのドレイン管を接続し易くすることができる。
【００４０】
請求項４の発明によれば、本体部が取付具を介して室外機に取り付けられるため、本体部を室外機に、容易且つ確実に取り付けることができる。
【図面の簡単な説明】
【図１】エアコンの概略構成図である。
【図２】本発明に係る冷却用器具の一例を示す分解斜視図である。
【図３】図２の冷却用器具を室外機に取り付けた状態を示す断面側面図である。
【図４】取付具の一例を示す斜視図である。
【図５】図４の取付具を室外機に装着した状態を示す断面側面図である。
【図６】取付具の別例を示す斜視図である。
【図７】図６の取付具を室外機に装着した状態を示す断面側面図である。
【符号の説明】
１０    エアコン
１１    室内機
１２    熱交換器
１３    室外機
１４    熱交換器
１５    コンプレッサ
１６    往路管
１７    復路管
１８    ドレイン管
３０    冷却用器具
４０    本体部
５０    ドレイン管接続部
６０    導水部
８０    取付具
【図１】
2004197987.tif 000003
【図２】
2004197987.tif 000004
【図３】
2004197987.tif 000005
【図４】
2004197987.tif 000006
【図５】
2004197987.tif 000007
【図６】
2004197987.tif 000008
【図７】
2004197987.tif 000009